(57)【特許請求の範囲】
【請求項１】
押圧操作により電流を断続する機能を有するスイッチ装置の押圧操作部に貼着する保護シートであって、前記押圧操作部に貼着剥離可能な粘着部を裏面に有する粘着性フィルムと、前記粘着性フィルムの表面に付設された遮光性フィルムと、前記遮光性フィルムの表面に付設された意匠用フィルムと、前記意匠用フィルムの表面に付設された透光性フィルムと、前記透光性フィルムの表面に付設された外面フィルムと、を備え、
少なくとも前記遮光性フィルムに、前記スイッチ装置の押圧操作部に設けられた押圧位置表示用突起との接触を回避するための切欠き部を設け、前記外面フィルムの表面に前記スイッチ装置の押圧操作部の位置を表示する突起部を設けたことを特徴とする保護シート。
【請求項２】
少なくとも前記遮光性フィルムに、前記スイッチ装置の押圧操作部に設けられた発光部の光を通すための透光部を設けた請求項１記載の保護シート。
【請求項３】
少なくとも前記透光性フィルムに、ネームカードを収容するための開口部を設けた請求項１または２記載の保護シート。
【請求項４】
前記透光性フィルムの開口部に前記ネームカードを着脱するための出し入れ経路を、前記意匠用フィルム、前記遮光性フィルム及び前記粘着性フィルムに設けた請求項３記載の保護シート。
【請求項５】
前記外面フィルムの表面に点字表示部を設けた請求項１〜４のいずれかに記載の保護シート。
【請求項６】
少なくとも前記外面フィルムが抗菌作用を有する請求項１〜５のいずれかに記載の保護シート。
【発明の詳細な説明】
【技術分野】
【０００１】
本発明は、一般住宅や公共建築物などに設けられている照明器具などを点灯・消灯するためのスイッチ装置の押圧操作部に貼着して使用する保護シートに関する。
【背景技術】
【０００２】
一般住宅や公共建築物などに設けられている照明器具などを点滅させるためのスイッチ装置や各種電気製品を使用する際にプラグを差し込む電源コンセントなどの配線器具はＪＩＳ規格（ＪＩＳ  Ｃ８３０４）に基づいて生産されているが、その外観デザインや色彩などの種類は決して豊富とは言えない。また、多くの一般住宅においては、新築時に設置されたスイッチ装置や電源コンセントなどの配線器具は、故障したり、破損したりすることがない限り、交換されることなく使用されている。
【０００３】
ところが、スイッチ装置や電源コンセントなどの配線器具は、通常、室内の壁面の目立つ場所に取り付けられているので、居住者によっては、新築時に設定された配線器具のデザインや色彩が気に入らず、取り換えたいと思っている者も少なくない。しかしながら、配線器具の交換作業は電気工事士の資格を持つ者が行うべきことが法律で定められているので、資格を持たない一般人は安易に既設の配線器具の交換を行えず、デザインや色彩などの外観性が気にいらない配線器具をそのまま使い続けているのも実状である。
【０００４】
そこで、既設の配線器具を交換することなく、例えば、スイッチ部分の外観性を変えるために、スイッチ操作部にシールを貼り付けることがあるが、シールに使用されている素材や粘着剤によっては貼り直しが困難な場合があるので、一旦、シールを貼ると、そのシールによって外観性が固定化されてしまう。また、シールの汚れが目立ってきたときにシールを貼り直そうとしても、粘着材が配線器具側に残ったり、シールが途中で破れたりして綺麗に剥がすことできないことがある。さらに、スイッチ操作部に直接シールを貼った場合、長期間使用するうちに、スイッチ操作部の隙間にシールの一部が入り込んで故障の原因となることもある。
【０００５】
このような問題を解決するため、既設の壁面スイッチやコンセントの外観性を簡単に変える方法として、微細なミクロ吸盤を内面全体に設けた糊なし吸着シートの表面に癒し系、和み系、美粧系などの配色図柄をプリントした吸着カバーを既設の壁面スイッチの蓋やコンセントの蓋に吸着させる技術が提案されている（例えば、特許文献１参照）。
【０００６】
そのほか、病院や公共建築物などに配置されているスイッチ装置などの配線器具は不特定多数の人が触れ、雑菌が付着することが多いので、特に、病院などに配置される配線器具において、人の手が触れる箇所に用いられる部品を、抗菌剤を配合した樹脂の成形品で成形したものが提案されている（例えば、特許文献２参照）。
【０００７】
一方、近年は、住宅のバリアフリー化が進められ、スイッチ操作部を大型化したワイドタイプのスイッチ装置が開発されている（例えば、特許文献３参照）。特許文献３に記載されている「ピアノハンドル式スイッチ装置」などは、スイッチ操作部が大型化されているので、例えば、特許文献１の[図１]などに記載されている従来のスイッチに比べると視認性と操作性が大幅に向上している。
【先行技術文献】
【特許文献】
【０００８】
【特許文献１】実用新案登録第３１０５００９号公報
【特許文献２】特開平１１−６６９９１号公報
【特許文献３】特開２０００−２７６９７３号公報
【発明の概要】
【発明が解決しようとする課題】
【０００９】
前述したように、既設のスイッチ装置の外観性を変えたいという要望があるにもかかわらず、法律上の制約により、一般人は容易にスイッチ装置を交換することができないので、新築時に設置したスイッチ装置などをそのまま使用し続けているが実状である。
【００１０】
一方、特許文献１記載の吸着カバーなどを使用すれば既設のスイッチ装置の外観性を変えることは可能であるが、近年のスイッチ装置は、特許文献３などに記載されているように、スイッチ操作部が大型化されているので、スイッチ操作部以外の部分（スイッチの蓋部分など）に前記吸着カバーを取り付けても、外観性を変える効果が乏しい。また、前記吸着カバーを既設のスイッチ装置に取り付ける場合、既設スイッチの蓋部分の表面が平滑でないと、当該吸着カバーのミクロ吸盤による吸着が困難な面がある。
【００１１】
さらに、特許文献２記載の配線器具は抗菌機能を有しているので、菌の二次感染を防ぐ効果を有しているが、既設のスイッチ装置の外観性を変える目的で使用するには好適ではない。
【００１２】
本発明が解決しようとする課題は、既設のスイッチ装置の押圧操作部に容易に貼着剥離可能であり、当該スイッチ装置の機能を阻害することなく、その外観性を変えることができる保護シートを提供することにある。
【課題を解決するための手段】
【００１３】
本発明の保護シートは、押圧操作により電流を断続する機能を有するスイッチ装置の押圧操作部に貼着する保護シートであって、前記押圧操作部に貼着剥離可能な粘着部を裏面に有する粘着性フィルムと、前記粘着性フィルムの表面に付設された遮光性フィルムと、前記遮光性フィルムの表面に付設された意匠用フィルムと、前記意匠用フィルムの表面に付設された透光性フィルムと、前記透光性フィルムの表面に付設された外面フィルムと、を備え、
少なくとも前記遮光性フィルムに、前記スイッチ装置の押圧操作部に設けられた押圧位置表示用突起との接触を回避するための切欠き部を設け、前記外面フィルムの表面に前記スイッチ装置の押圧操作部の位置を表示する突起部を設けたことを特徴とする。ここで、前記「意匠用フィルム」とは、絵柄部分や着色部分など任意のデザインが施された部分を有するフィルムであり、保護シートの外観上のデザイン性を発揮するフィルムを意味する。
【００１４】
このような構成とすれば、当該保護シートの粘着性フィルムの粘着部を、既設のスイッチ装置の押圧操作部に密着させて張り付ければ、当該保護シートを構成する意匠用フィルムのデザインに基づいて、スイッチ装置の外観性を任意に変えることができる。粘着性フィルムの粘着部は、既設のスイッチ装置の押圧操作部に貼着され、保護シート全体は複数のフィルム材で形成され、比較的薄いものであるため、当該スイッチ装置の機能を阻害することもない。また、保護シートは、粘着性フィルムの粘着部を介して押圧操作部に貼着剥離可能であるため、貼着作業は容易であり、デザインの異なる他の保護シートへの取り換えも容易である。
【００１５】
ここで、少なくとも前記遮光性フィルムに、前記スイッチ装置の押圧操作部に設けられた発光部の光を通すための透光部を設けることが望ましい。
【００１６】
また、前述したように、本発明の保護シートにおいては、少なくとも前記遮光性フィルムに、前記スイッチ装置の押圧操作部に設けられた押圧位置表示用突起との接触を回避するための切欠き部を設け、前記外面フィルムの表面に前記スイッチ装置の押圧操作部の位置を表示する突起部を設けている。
【００１７】
さらに、少なくとも前記透光性フィルムに、ネームカードを収容するための開口部を設けることが望ましい。
【００１８】
この場合、前記透光性フィルムの開口部に前記ネームカードを着脱するための出し入れ経路を、前記意匠用フィルム、前記遮光性フィルム及び前記粘着性フィルムに設けることが望ましい。
【００１９】
一方、前記外面フィルムの表面に点字表示部を設けることもできる。
【００２０】
また、少なくとも前記外面フィルムに抗菌作用を持たせることもできる。
【発明の効果】
【００２１】
本発明により、既設のスイッチ装置の押圧操作部に容易に貼着剥離可能であり、当該スイッチ装置の機能を阻害することなく、その外観性を変えることができる保護シートを提供することができる。
【図面の簡単な説明】
【００２２】
【図１】本発明の実施形態である保護シートの使用状態を示す正面図である。
【図２】スイッチ装置に対して図１に示す保護シートを着脱する状態を示す斜視図である。
【図３】図１に示す保護シートの分解斜視図である。
【図４】図１中のＡ−Ａ線における一部省略断面図である。
【図５】（ａ）は本発明のその他の実施形態である保護シートをダブル型スイッチ装置に使用した状態を示す正面図であり，（ｂ）は本発明のその他の実施形態である保護シートをトリプル型スイッチ装置に使用した状態を示す正面図である。
【図６】（ａ）は本発明のその他の実施形態である保護シートを示す正面図であり、（ｂ）は前記保護シートの背面図であり、（ｃ）は前記（ａ）中のＢ−Ｂ線における断面図である。
【図７】図６（ｃ）の一部拡大図である。
【図８】（ａ），（ｂ），（ｃ）はスイッチの押圧位置表示用の突起の形状がそれぞれ異なるスイッチ装置を示す正面図である。
【図９】（ａ）は本発明のその他の実施形態である保護シートを図８（ａ）に示すスイッチ装置に貼着した状態を示す断面図であり、（ｂ）は前記保護シートを図８（ｂ）に示すスイッチ装置に貼着した状態を示す断面図であり、（ｃ）は前記保護シートを図８（ｃ）中に示すスイッチ装置に貼着した状態を示す断面図である。
【図１０】本発明のその他の実施形態である保護シートをスイッチ装置に使用した状態を示す正面図である。
【発明を実施するための形態】
【００２３】
以下、図面に基づいて本発明の実施の形態である保護シート１について説明する。図１，図２に示すように、本実施形態の保護シート１は、押圧操作部Ｓ１を押圧操作することにより電流を断続する機能を有するスイッチ装置Ｓの押圧操作部Ｓ１に貼着して使用するものである。図２に示すように、スイッチ装置Ｓは、シングル型スイッチ装置とも呼ばれるものであり、その正面部分に一つのピアノハンドル式の押圧操作部Ｓ１が設けられ、左右側縁部の中央付近にそれぞれスイッチ押圧位置表示用の突起Ｓ２が設けられ、左側縁部寄りの突起Ｓ２の右側にスイッチ断続状態に応じて点灯・消灯する発光部Ｓ３が設けられている。
【００２４】
図３に示すように、保護シート１は、押圧操作部Ｓ１に貼着剥離可能な粘着部Ｎ（図４参照）を裏面に有する粘着性フィルム１ｅと、粘着性フィルム１ｅの表面に積層状に付設された遮光性フィルム１ｄと、遮光性フィルム１ｄの表面に積層状に付設された意匠用フィルム１ｃと、意匠用フィルム１ｃの表面に積層状に付設された透光性フィルム１ｂと、透光性フィルム１ｂに開設された開口部３に収容されたネームカード４と、透光性フィルム１ｂの表面に付設された外面フィルム１ａと、を備えている。
【００２５】
粘着性フィルム１ｅは上下二枚のフィルム片１ｅｕ，１ｅｓからなり、二枚のフィルム片１ｅｕ，１ｅｓの間にスペース７を設けた状態で遮光性フィルム１ｄの裏面に貼着されている。スペース７は、遮光性フィルム１ｄが押圧操作部Ｓ１に貼着されたとき、二つの突起Ｓ２との接触を回避する機能と、発光部Ｓ３の光を通す透光機能とを有する。粘着性フィルム１ｅの粘着部Ｎは再剥離性粘着剤で形成されているので、一旦、貼り付けた後に剥がすときに、跡形を残すことなく綺麗に剥がすことができる。
【００２６】
遮光性フィルム１ｄは、押圧操作部Ｓ１及び粘着性フィルム１ｅが保護シート１の外面側から見えないように遮る機能を有するものであり、白色若しくは有色のフィルム材で形成されている。遮光性フィルム１ｄの左右側縁部の中央付近にはそれぞれ突起Ｓ２との接触を回避するための切欠き部２が設けられ、二つの切欠き部２の間に、ネームカード４を着脱するための出し入れ経路６が開設されている。出し入れ経路６の上方には、遮光性フィルム１ｄの表裏方向の可撓性を有する垂下片６ａが設けられている。なお、遮光性フィルム１ｄに蓄光機能を持たせれば、昼間のうちに太陽光や照明器具の光を吸収し、夜間になると発光可能となるので、暗闇の中でも容易にスイッチ装置Ｓの位置を発見することができるようになる。
【００２７】
意匠用フィルム１ｃは、絵柄や図形などを印刷したり、着色したりすることによってデザインが施された透光性フィルムであり、保護シート１の外観性を発揮する部材である。意匠用フィルム１ｃにおいて、遮光性フィルム１ｄの切欠き部２に相当する位置に切欠き部２が設けられ、同じく、遮光性フィルム１ｄの出し入れ経路６の位置に相当する位置に出し入れ経路５が設けられている。後述するように、ネームカード４を使用しないときの出し入れ経路５は、意匠用フィルム１ｃの表裏方向の可撓性を有する透明な垂下片５ａによって閉塞されている。
【００２８】
ネームカード４は、スイッチ装置Ｓの押圧操作部Ｓ１の手動操作によって作動・停止する電気器具（図示せず）の名称が表示されている。本実施形態では電気器具の名称を文字で表示しているが、これに限定しないので、絵文字やピクトグラム（ピクトグラフ）などで表示することもできる。ネームカード４の下縁部分には可撓片４ｂが設けられ、その左寄りの部分には、スイッチ装置Ｓの発光部Ｓ３の光を通すための透光部４ａが設けられている。ネームカード４の縦方向のサイズ４ｈは、後述する、透光性フィルム１ｂの開口部３の縦方向のサイズ３ｈより大である。
【００２９】
透光性フィルム１ｂは、意匠用フィルム１ｃの表面に積層状に付設されたものであり、その中央付近にネームカード４を収容するための開口部３が開設され、その両側に切欠き部２が設けられている。開口部３は、意匠用フィルム１ｃ、遮光性フィルム１ｄの出し入れ経路５，６と重なり合う位置に開設され、その縦方向のサイズ３ｈは出し入れ経路５，６の同方向のサイズより大きく設定されている。
【００３０】
外面フィルム１ａは、透光性フィルム１ｂの表面全体に積層状に付設された透明フィルムであり、保護シート１の表面層を形成するものである。外面フィルム１ａの表面において、透光性フィルム１ｂ及び意匠用フィルム１ｃなどの切欠き部２に相当する位置に、それぞれ突起部８が設けられている。突起部８は、スイッチ装置Ｓの押圧操作部Ｓ１の位置を表示するためのものである。また、外面フィルム１ａの表面において、二つの突起部８の間のやや下方の領域に点字表示部９が設けられている。
【００３１】
図１，図２に示すように、保護シート１の表面には、二つの突起部８及び点字表示部９が存在し、外面フィルム１ａを通してネームカード４の表示内容が表示部１１に表示されている。また、スイッチ装置Ｓの発光部Ｓ３の光が、二枚のフィルム片１ｅｕ，１ｅｓの間のスペース７、遮光性フィルム１ｄ及び意匠用フィルム１ｃの開口部５，６、ネームカード４の切欠き部４ａ、外面フィルム１ａを通過して、発光部１０に表れる。また、保護シート１の表面において、表示部１１以外の領域には、意匠用フィルム１ｃに設けられたデザイン（絵柄や色彩など）が透光性フィルム１ｂ及び外面フィルム１ａを通して表現されている。
【００３２】
図３に示すように、ネームカード４の縦方向のサイズ４ｈは、透光性フィルム１ｂの開口部３の縦方向のサイズ３ｈより大であるため、図４に示すように、透光性フィルム１ｂの開口部３に収容されたネームカード４の下縁の可撓片４ｂは開口部３の下方からはみ出し、押圧操作部Ｓ１方向に湾曲している。また、可撓片４ｂの湾曲に伴い、意匠用フィルム１ｃの出し入れ経路５の垂下片５ａも可撓片４ｂに沿って同方向に湾曲している。可撓片４ｂ及び垂下片５ａの下縁部は、粘着性フィルム１ｅのスペース７内に収容されているので、押圧操作部Ｓ１に対する粘着フィルム１ｅの貼着性を妨げることはない。
【００３３】
また、可撓片４ｂ及び垂下片５ａは透光性を有するので、スイッチ装置Ｓの発光部Ｓ３の光が透過可能である。さらに、垂下片５ａの下縁部よりも可撓片４ｂの下縁部の方が、はみ出し量が大であるため、ネームカード４の下縁部を手指で摘み易くなっており、ネームカード４の脱着も容易である。
【００３４】
保護シート１を使用する場合、図２に示すように、保護シート１の裏側に位置する粘着性フィルム１ｅの粘着部Ｎ（図４参照）を、既設のスイッチ装置Ｓの押圧操作部Ｓ１に密着させて張り付ければ、保護シート１を構成する意匠用フィルム１ｃに施されているデザインに基づいて、スイッチ装置Ｓの外観性を変えることができる。粘着性フィルム１ｅの粘着部Ｎは、既設のスイッチ装置Ｓの押圧操作部Ｓ１に貼着され、保護シート１全体は複数のフィルム材で形成され、比較的薄いものであるため、当該スイッチ装置Ｓの押圧操作性や機能性を阻害することもない。また、保護シート１は、粘着性フィルム１ｅの粘着部Ｎを介して押圧操作部Ｓ１に貼着するだけで良いので使い方は簡単であり、一旦、貼着した後も、粘着部Ｎは押圧操作部Ｓ１から剥離可能であるため、デザインの異なる他の保護シート１への取り換えも容易である。
【００３５】
スイッチ装置ＳによってＯＮ／ＯＦＦされる電気器具（例えば、照明）の名称が記載されたネームカード４は保護シート１の表面の表示部１１に表れるので、当該電気器具を容易に認識することができる。なお、スイッチ装置ＳによってＯＮ／ＯＦＦされる電気器具（例えば、照明）の名称が押圧操作部Ｓ１に表示されているか否かに関わらず、ネームカード４を透光性フィルム１ｂの開口部３にセットすることができる。
【００３６】
スイッチ装置Ｓの発光部Ｓ３の光は保護シート１の表面の発光部１０に表れるので、発光部Ｓ３の機能を阻害することなく、スイッチ装置Ｓによる電気器具のＯＮ／ＯＦＦ状態を確実に把握することができる。
【００３７】
また、スイッチ装置Ｓの押圧操作部Ｓ２の押圧位置を表示するための突起部８を外面フィルム１ａの表面に設けているため、押圧位置を容易に認識することができる。なお、粘着性フィルム１ｅのフィルム片１ｅｕ，１ｅｓの間にスペースを設け、遮光性フィルム１ｄ、意匠用フィルム１ｃ及び透光性フィルム１ｂに切欠き部２を設けているので、スイッチ装置Ｓの押圧操作部Ｓ１に設けられた押圧位置表示用の突起Ｓ２と保護シート１との接触（干渉）を回避することができる。
【００３８】
さらに、意匠用フィルム１ｃ、遮光性フィルム１ｄに出し入れ経路５，６を設け、粘着性フィルム１ｅにスペース７設けているので、透光性フィルム１ｂの開口部３に対するネームカード４の着脱も容易である。
【００３９】
一方、外面フィルム１ａの表面に点字表示部９を設けているので、視覚障碍者が点字表示部９を手指でなぞることにより、押圧操作部Ｓ１の操作位置及び押圧操作部Ｓ１によってＯＮ／ＯＦＦされる電気器具の名称などを認識することができる。また、外面フィルム１ａは抗菌作用を有しているので、清潔な状態を保持することができる。
【００４０】
次に、図５〜図１１に基づいて、本発明のその他の実施形態である保護シート２０，３０，４０，５０，６０について説明する。なお、保護シート２０，３０，４０，５０，６０の構成部分において前述した保護シート１と共通する部分については図１〜図４中に記載した符号と同じ符号を付して説明を省略する。
【００４１】
図５に基づいて、その他の実施形態である保護シート２０，３０について説明する。図５（ａ）は二つの押圧操作部（図示せず）を有するダブル型のスイッチ装置２Ｓに保護シート２０を使用した状態を示し、図５（ｂ）は三つの押圧操作部（図示せず）を有するトリプル型のスイッチ装置３Ｓに保護シート３０を使用した状態を示している。
【００４２】
図５に示すように、それぞれスイッチ装置２Ｓ，３Ｓの押圧操作部（図示せず）のサイズに合わせたサイズの保護シート２０，３０を作成することにより、複数の押圧操作部（図示せず）を有するスイッチ装置２Ｓ，３Ｓであっても容易に対応することができる。この場合、複数の保護シート２０（３０）の間で互いに異なるデザイン（色彩、絵柄など）を採用すれば、スイッチ装置２Ｓ（３Ｓ）における複数の押圧操作部の位置や対応する電気器具の違いを明確にすることができる。
【００４３】
次に、図６，図７に基づいて、その他の実施形態である保護シート４０について説明する。図６，図７に示すように、保護シート４０は、図３，図４に示す保護シート１からネームカード４を省いた構成となっている。保護シート１におけるネームカード４は着脱可能であるため、ネームカード４が不要である場合、図６，図７に示す保護シート４０の構成とすることにより、容易に対応することができる。
【００４４】
次に、図８，図９に基づいて、その他の実施形態である保護シート５０について説明する。図８（ａ），（ｂ），（ｃ）に示すように、スイッチ装置４Ｓ，５Ｓ，６Ｓは、それぞれ押圧操作部Ｓ１に設けられた押圧操作位置表示用の突起Ｓ２の個数や形状が異なっているが、図９（ａ），（ｂ），（ｃ）に示すように、保護シート５０は、これらのスイッチ装置４Ｓ，５Ｓ，６Ｓに対して使用可能である。
【００４５】
即ち、保護シート５０の粘着性フィルム１ｅを構成するフィルム片１ｅｕ，１ｅｓの間に設けられたスペース７にそれぞれの突起Ｓ２を逃がすことより、それぞれの突起Ｓ２と保護シート５０との接触を回避することができるので、保護シート５０はいずれのスイッチ装置４Ｓ，５Ｓ，６Ｓに対しても使用可能である。なお、保護シート５０は、ネームカードを使用しないので、透光性フィルム１ｂの開口部も省いた構成となっている。
【００４６】
次に、図１０に基づいて、その他の実施形態である保護シート６０について説明する。図１０に示すように、保護シート６０は、図１〜図３に示す保護シート１からネームカード４及び点字表示部９を省いた構成となっている。保護シート６０は、スイッチ装置７Ｓに発光部（図示せず）が存在せず、点字表示部９も不要である場合に好適に使用することができる。
【００４７】
なお、前述した保護シートは本発明を例示するものであり、本発明の保護シートは前述した実施形態に限定されない。
【産業上の利用可能性】
【００４８】
本発明の保護シートは、一般住宅や公共建築物などに設けられている各種照明器具のスイッチ装置などに対して広く使用することができる。
【符号の説明】
【００４９】
１，２０，３０，４０，５０，６０  保護シート
１ａ  外面フィルム
１ｂ  透光性フィルム
１ｃ  意匠用フィルム
１ｄ  遮光性フィルム
１ｅ  粘着性フィルム
１ｅｕ，１ｅｓ  フィルム片
２  切欠き部
３  開口部
３ｈ，４ｈ  縦方向のサイズ
４  ネームカード
４ａ  透光部
４ｂ  可撓片
５，６  出し入れ経路
５ａ，６ａ  垂下片
７  スペース
８  突起部
９  点字表示部
１０  発光部
１１  表示部
Ｎ  粘着部
Ｓ，２Ｓ，３Ｓ，４Ｓ，５Ｓ，６Ｓ，７Ｓ  スイッチ装置
Ｓ１  押圧操作部
Ｓ２  突起
Ｓ３  発光部
【図１】
0006404047.tif 000002
【図２】
0006404047.tif 000003
【図３】
0006404047.tif 000004
【図４】
0006404047.tif 000005
【図５】
0006404047.tif 000006
【図６】
0006404047.tif 000007
【図７】
0006404047.tif 000008
【図８】
0006404047.tif 000009
【図９】
0006404047.tif 000010
【図１０】
0006404047.tif 000011